(57)【要約】      （修正有）【課題】着脱が容易で、脱落しにくい携帯端末のロッドアンテナカバーを提供する。【解決手段】同軸ケーブルの芯線の先端を曲折し、もう一端を同軸ケーブル用雌端子に接続し、パイプに固定してロッドアンテナカバー１０を形成する。ロッドアンテナカバー１０を、壁のアンテナ端子に接続された同軸ケーブル４０と接続してロッドアンテナ２３０に被せると、屋外回線が受信した電波をロッドアンテナ２３０に届けることが出来る。ロッドアンテナカバー１０は小型軽量にして持ち運びが容易であり、接続された同軸ケーブル４０に外的要因での衝撃があった際にロッドアンテナ２３０から脱落しにくい構造である。以上により、携帯端末との安定した接続状態にて、安定した受信状態で快適に携帯端末２００を視聴できる。【選択図】図１
2019153994.tif 000002
【特許請求の範囲】
【請求項１】
携帯端末のロッドアンテナを覆うパイプと、同軸ケーブルの芯線と、同軸ケーブル用雌端子とを備え、前記芯線の一端はパイプの外側に配置され、もう一端は同軸ケーブル用雌端子に固定され、外的要因での脱落がしにくく、小型軽量で、着脱して持ち運びが容易な事を特徴とする、ロッドアンテナカバー。
【発明の詳細な説明】
【技術分野】
【０００１】
本発明は、携帯端末のテレビ電波、ＦＭ電波受信環境改善に関するものである。
【背景技術】
【０００２】
従来、テレビ電波、ＦＭ電波が受信困難な室内環境に置いて、受信可能な携帯端末の受信環境改善のために、屋外アンテナが受信したテレビ電波、ＦＭ電波を、室内の壁のアンテナ端子から同軸ケーブルを介して携帯端末のロッドアンテナに接続する手段として、同軸ケーブルの先端をクリップ形状とし、あるいは同軸ケーブルの先端の導線をコイル形状にしたものがある。これにより携帯電話、携帯テレビの地デジ放送受信環境改善と、携帯ラジオのＦＭ放送受信環境改善が得られている（特許文献参照）。
【先行技術文献】
【特許文献】
【０００３】
【特許文献１】特許３６４３００１号
【特許文献２】特開２０１１−１１４８５６号
【特許文献３】実用新案登録第３１４５５７５号
【発明の概要】
【発明が解決しようとする課題】
【０００４】
しかしながら、特許文献１及び特許文献２のようなアンテナケーブルの一端がクリップ状であると、外的要因でケーブルが引っ張られた際に、ロッドアンテナから外れやすい。また、特許文献３はいずれの形状もコイル状に巻いた先端部分の導線を、多様に変形させて携帯端末に接続させるもので、着脱に労力を要する。  本発明は、上記事情に鑑みてなされたものであり、携帯端末の受信環境改善のため、ロッドアンテナへの着脱が容易で、脱落しにくいロッドアンテナカバーを提供することを目的とする。
【課題を解決するための手段】
【０００５】
上記目的を達成するために、以下の構成によって把握される。
（イ）ロッドアンテナを覆う部分はロッドアンテナに緩やかに嵌まるサイズのパイプ状であり、パイプは真円で空洞である。
（ロ）パイプの材質は硬質ゴム、プラスティック、ステンレスのいずれかとする。
（ハ）同軸ケーブルの芯線をパイプの形状に合わせて長さ調整し、先端を曲折し、もう一端を同軸ケーブル用雌端子に接続してパイプに固定する。
（イ）（ロ）（ハ）の構成によりロッドアンテナカバーを形成する。ロッドアンテナカ
バーを、壁のアンテナ端子に接続された同軸ケーブルと接続してロッドアンテナに被せ
ると、屋外回線が受信した電波をロッドアンテナに届けることが出来る。
【発明の効果】
【０００６】
本発明のロッドアンテナカバーは、外的要因での脱落がしにくく、小型軽量で着脱して持ち運びが容易であり、これにより携帯端末の移動が容易である。接続する同軸ケーブルの長さや太さを自在に選択できる。ロッドアンテナカバーは、携帯端末のロッドアンテナに対し、屋外アンテナが受信した電波を提供することができる。これにより、携帯端末に対して高利得を与えることが可能となる。携帯端末はテレビ電波、ＦＭ電波が安定した受信状態となる。
【図面の簡単な説明】
【０００７】
【図１】ロッドアンテナに被せたロッドアンテナカバーに、壁のアンテナ端子に接続された同軸ケーブルを接続しようとする状態を示した斜視図である。
【図２】先端をＬ字に曲折した同軸ケーブル芯線を同軸ケーブル用雌端子に接続した状態を示した図である。
【図３】先端をＬ字に曲折した同軸ケーブル芯線と同軸ケーブル用雌端子とをパイプに固定したロッドアンテナカバーの全体図である。
【図４】先端をＴ字に曲折した同軸ケーブル芯線を同軸ケーブル用雌端子に接続した状態を示した図である。
【図５】先端をＴ字に曲折した同軸ケーブル芯線と同軸ケーブル用雌端子とをパイプに固定したロッドアンテナカバーの全体図である。
【図６】室内の壁とロッドアンテナカバーと携帯端末との機能関係を示すブロック図である。
【発明を実施するための形態】
【０００８】
以下、図面を参照して本発明を実施するための形態について詳細に説明する。説明の全体を通して同じ要素には同じ符号が付される。
【０００９】
図１はロッドアンテナ２３０に被せたロッドアンテナカバー１０に、壁Ｗの同軸ケーブル用雌端子５０に接続された同軸ケーブル４０を接続しようとする状態を示した斜視図である。図２は先端をＬ字に曲折した同軸ケーブル芯線３０を同軸ケーブル用雌端子５０に接続した状態を示した図である。図３は先端をＬ字に曲折した同軸ケーブル芯線３０と同軸ケーブル用雌端子５０をパイプ１１に固定したロッドアンテナカバー１０の全体図である。図４は先端をＴ字に曲折した同軸ケーブル芯線３０を同軸ケーブル用雌端子５０に接続した状態を示した図である。図５は先端をＴ字に曲折した同軸ケーブル芯線３０と同軸ケーブル用雌端子５０をパイプ１１に固定したロッドアンテナカバー１０の全体図であ
る。図６は室内の壁Ｗとロッドアンテナカバー１０と携帯端末２００との機能関係を示すブロック図である。
【００１０】
図１に示すようにロッドアンテナ２３０に被せたロッドアンテナカバー１０を、壁Ｗの
同軸ケーブル用雌端子５０に接続された同軸ケーブル４０と接続すると、屋外回線６０が受信した電波をロッドアンテナ２３０に届けることが出来る。
【００１１】
同軸ケーブルの網線は周囲からの電波を寄せ付けない役割があり、芯線には電波を運ぶ
役割がある。網線部分を切除することにより、芯線の電波を放出させることが出来る。本発明はこの原理に基づき、アンテナカバーを構成するものである。図２で示すようにむき出しにした同軸ケーブル芯線３０を同軸ケーブル用雌端子５０に接続する。
【００１２】
図３に示すように、前記同軸ケーブル芯線３０と同軸ケーブル用雌端子５０とをパイプ１１に固定する。パイプ１１は、真円で空洞であり、長さは１ｃｍから１０ｃｍである。内径は３ｍｍから９ｍｍでロッドアンテナ２３０の直径を上回るサイズとし、緩やかに嵌まる。パイプ１１の材質は硬質ゴム、プラスティック素材、ステンレススチールのいずれかとする。以上で構成されるロッドアンテナカバー１０はロッドアンテナ２３０との着脱が容易であり、小型軽量にして持ち運びも容易である。また、ロッドアンテナカバー１０は外観上も突起物が少なくロッドアンテナ２３０との一体感がある。
【００１３】
また、図２と図３は同軸ケーブル芯線３０をＬ字に曲折したものだが、図４と図５に示すように同軸ケーブル芯線３０はＴ字に曲折しても良い。
【００１４】
図６は室内の壁Ｗとロッドアンテナカバー１０と携帯端末２００との機能関係を示すブロック図である。図で示すように、携帯端末２００に付帯するロッドアンテナ２３０とロッドアンテナカバー１０の芯線３０は金属的に非接触である。これにより雷サージを軽減できる。携帯端末２００は、携帯ラジオ、携帯テレビ、スマートフォンといった携帯通信端末である。携帯端末２００は、ロッドアンテナ２３０と、受信した電波を表示可能な表示部２１０と、音声出力可能な音声出力部２２０とを備える。なお、携帯端末２００は、表示部２１０や音声出力部２２０や通話部（不図示）等に電源回路を介して電気を供給する電源（不図示）を備える。
【００１５】
本発明のロッドアンテナカバーは、外的要因での脱落がしにくく、小型軽量で着脱して持ち運びが容易であり、これにより携帯端末の移動が容易である。接続する同軸ケーブルの長さや太さを自在に選択できる。ロッドアンテナカバーは、携帯端末のロッドアンテナに対し、屋外アンテナが受信した電波を提供することができる。これにより、携帯端末に対して高利得を与えることが可能となる。携帯端末はテレビ電波、ＦＭ電波が安定した受信状態となる。
【００１６】
例えば、アンテナカバーの先端は同軸ケーブルであってもよい。すなわち、同軸ケーブルを保持していないユーザーにとっては、同軸ケーブル一体型が有益である。これにより
接続が、さらに容易となる。
【００１７】
また、上記において、屋外回線が受信した電波を届けると説明したが、これに限らず、室内アンテナをロッドアンテナカバーに接続してもよい。ロッドアンテナのみの受信状態よりは改善が図れる。
【符号の説明】
【００１８】
１０    ロッドアンテナカバー
２０    同軸ケーブル用雄端子
３０    同軸ケーブル芯線
４０    同軸ケーブル
５０    同軸ケーブル用雌端子
６０    屋外回線
２００  携帯端末
２１０  表示部
２２０  音声出力部
２３０  ロッドアンテナ
Ｗ      壁
【図１】
2019153994.tif 000003
【図２】
2019153994.tif 000004
【図３】
2019153994.tif 000005
【図４】
2019153994.tif 000006
【図５】
2019153994.tif 000007
【図６】
2019153994.tif 000008